(57)【要約】【課題】乾式壁を高遮音性の要求を満たすことのできる構造としつつ、当該乾式壁に含まれるランナーを容易に建物の躯体部に固定することのできるランナー固定具およびランナー固定構造を提供する。【解決手段】乾式壁は、隣り合う第１空間側および第２空間側それぞれにおいて、縦方向に延びる第１および第２のスタッドと、第１のスタッドの軸方向端部および第２のスタッドの軸方向端部をそれぞれ抱え込むように、表裏方向に間隔をあけて配置される第１および第２のランナー（３１，３２）とを含む。第１および第２のランナー（３１，３２）は、ランナー固定具（１３）によって、建物の躯体部（１１）に固定される。ランナー固定具（１３）は、これらのランナー（３１，３２）を、表裏方向に間隔をあけた状態で保持する。ランナー固定具（１３）は、たとえば、第１および第２のランナー（３１，３２）を保持する保持部材（７）と、梁（１１）のフランジ（１１０）に係止される係止部材（６）とを含む。【選択図】図５
2015038298.tif 000002
【特許請求の範囲】
【請求項１】
隣り合う第１空間および第２空間を仕切る仕切り面に沿って配置される乾式壁を備え、
前記乾式壁は、
前記第１空間側および前記第２空間側それぞれにおいて、縦方向に延びる第１および第２のスタッドと、
前記第１のスタッドの軸方向端部および前記第２のスタッドの軸方向端部をそれぞれ抱え込むように、表裏方向に間隔をあけて配置される第１および第２のランナーとを含み、
前記第１および第２のランナーを表裏方向に間隔をあけた状態で保持し、前記乾式壁の端部を支える建物の躯体部に、前記第１および第２のランナーを固定するためのランナー固定具をさらに備える、ランナー固定構造。
【請求項２】
前記ランナー固定具は、前記第１および第２のランナーを、表裏方向に間隔をあけた状態で保持する保持部材を含む、請求項１に記載のランナー固定構造。
【請求項３】
前記第１および第２のランナーは、各々、表裏方向両端に鍔部を有しており、
前記保持部材は、
前記躯体部と前記第１および第２のランナーとの間に配置される板状部と、
前記板状部と連結され、前記第１のランナーの両端の前記鍔部をそれぞれの外側から把持する第１の把持部と、
前記板状部と連結され、前記第２のランナーの両端の前記鍔部をそれぞれの外側から把持する第２の把持部とを有する、請求項２に記載のランナー固定構造。
【請求項４】
前記第１および第２のランナーは、各々、上下方向に貫通する貫通穴が設けられたベース部を有しており、
前記保持部材は、
前記躯体部と前記第１および第２のランナーとの間に配置される板状部と、
前記板状部から前記躯体部とは反対方向に突出し、前記第１のランナーの貫通穴に挿入される、表裏方向に弾性を有する第１の弾性係合部と、
前記板状部から前記躯体部とは反対方向に突出し、前記第２のランナーの貫通穴に挿入される、表裏方向に弾性を有する第２の弾性係合部とを有する、請求項２に記載のランナー固定構造。
【請求項５】
前記躯体部は、前記乾式壁の上端部および下端部の少なくともいずれか一方を支える梁を含み、
前記ランナー固定具は、前記梁のフランジに係止される係止部材をさらに含む、請求項２〜４のいずれかに記載のランナー固定構造。
【請求項６】
前記係止部材は、前記梁のフランジの表裏方向両端部を挟持することによって、前記梁のフランジに係止される、請求項５に記載のランナー固定構造。
【請求項７】
前記梁のフランジには、上下方向に貫通する穴が予め形成されており、
前記係止部材は、前記フランジの穴に挿入され、前記梁のフランジに掛止される掛止部を有する、請求項５に記載のランナー固定構造。
【請求項８】
前記板状部は、前記第１のランナー側に位置する第１の部分と、前記第２のランナー側に位置する第２の部分とを有しており、
前記第１の部分と前記第２の部分とは、表裏方向に離れて配置されている、請求項７に記載のランナー固定構造。
【請求項９】
隣り合う第１空間および第２空間を仕切る仕切り面に沿って配置される乾式壁に用いられるランナーを、前記乾式壁の端部を支える建物の躯体部に固定するためのランナー固定具であって、
前記乾式壁は、前記第１空間側および前記第２空間側それぞれにおいて、縦方向に延びる第１および第２のスタッドと、前記第１のスタッドの軸方向端部および前記第２のスタッドの軸方向端部をそれぞれ抱え込むように、表裏方向に間隔をあけて配置される第１および第２のランナーとを含んでおり、
前記第１および第２のランナーを表裏方向に間隔をあけた状態で保持する、ランナー固定具。
【発明の詳細な説明】
【技術分野】
【０００１】
本発明は、ランナー固定具およびランナー固定構造に関し、特に、乾式壁に用いられるランナーを建物の躯体部に固定するためのランナー固定具、および、これを含むランナー固定構造に関する。
【背景技術】
【０００２】
長屋や共同住宅等の界壁には、乾式壁が使用される。乾式壁では、一般的に、基礎部材の一方面側および他方面側に、二層の石膏ボードが固定される。基礎部材は、縦方向に延びる複数のスタッドと、それらの軸方向両端を抱え込むように配置される一対のランナーとを含む。たとえば特許第４２４１３２２号公報（特許文献１）では、複数のスタッドを千鳥状に配置することで、遮音性を高めることが開示されている。
【０００３】
一対のランナーは、建物の梁や基礎といった躯体部に固定される。ランナーを建物の梁に固定する場合、特開２０１２−２６０９５号公報（特許文献２）に示されるようなランナー固定金物を用いることで、ボルトレスでランナーを梁に固定することができる。このランナー固定金物は、１つのランナーを支持するための本体部と、梁のフランジを把持する係止部とで構成されている。
【先行技術文献】
【特許文献】
【０００４】
【特許文献１】特許第４２４１３２２号公報
【特許文献２】特開２０１２−２６０９５号公報
【発明の概要】
【発明が解決しようとする課題】
【０００５】
乾式壁において、複数のスタッドを千鳥状に配置した場合、スタッドの一方面は石膏ボードと接するが、他方面側には空間ができるため、スタッドを介した音の伝搬を遮る効果がある。しかしながら、複数のスタッドを千鳥状に配置するだけでは、高遮音性の要求を十分に満たすことができない。
【０００６】
また、上記したランナー固定金物を、そのまま、高遮音性能を有する乾式壁に適用できない場合がある。
【０００７】
本発明は、上記のような課題を解決するためになされたものであって、その目的は、乾式壁を高遮音性の要求を満たすことのできる構造としつつ、当該乾式壁に含まれるランナーを容易に建物の躯体部に固定することのできるランナー固定具およびランナー固定構造を提供することである。
【課題を解決するための手段】
【０００８】
この発明のある局面に従うランナー固定構造は、隣り合う第１空間および第２空間を仕切る仕切り面に沿って配置される乾式壁を備える。乾式壁は、第１空間側および第２空間側それぞれにおいて、縦方向に延びる第１および第２のスタッドと、第１のスタッドの軸方向端部および第２のスタッドの軸方向端部をそれぞれ抱え込むように、表裏方向に間隔をあけて配置される第１および第２のランナーとを含む。ランナー固定構造は、第１および第２のランナーを表裏方向に間隔をあけた状態で保持し、乾式壁の端部を支える建物の躯体部に、第１および第２のランナーを固定するためのランナー固定具をさらに備える。
【０００９】
好ましくは、ランナー固定具は、第１および第２のランナーを、表裏方向に間隔をあけた状態で保持する保持部材を含む。
【００１０】
好ましくは、第１および第２のランナーは、各々、表裏方向両端に鍔部を有している。保持部材は、躯体部と第１および第２のランナーとの間に配置される板状部と、板状部と連結され、第１のランナーの両端の鍔部をそれぞれの外側から把持する第１の把持部と、板状部と連結され、第２のランナーの両端の鍔部をそれぞれの外側から把持する第２の把持部とを有することが望ましい。
【００１１】
また、第１および第２のランナーは、各々、上下方向に貫通する貫通穴が設けられたベース部を有していてもよい。この場合、保持部材は、躯体部と第１および第２のランナーとの間に配置される板状部と、板状部から躯体部とは反対方向に突出し、第１のランナーの貫通穴に挿入される、表裏方向に弾性を有する第１の弾性係合部と、板状部から躯体部とは反対方向に突出し、第２のランナーの貫通穴に挿入される、表裏方向に弾性を有する第２の弾性係合部とを有することが望ましい。
【００１２】
躯体部は、乾式壁の上端部および下端部の少なくともいずれか一方を支える梁を含む。この場合、ランナー固定具は、梁のフランジに係止される係止部材をさらに含むことが望ましい。
【００１３】
好ましくは、係止部材は、梁のフランジの表裏方向両端部を挟持することによって、梁のフランジに係止される。
【００１４】
梁のフランジに、上下方向に貫通する穴が予め形成されている場合、係止部材は、このフランジの穴に挿入され、梁のフランジに掛止される掛止部を有することが望ましい。
【００１５】
この場合、板状部は、第１のランナー側に位置する第１の部分と、第２のランナー側に位置する第２の部分とを有しており、第１の部分と第２の部分とは、表裏方向に離れて配置されていてもよい。
【００１６】
この発明の他の局面に従うランナー固定具は、隣り合う第１空間および第２空間を仕切る仕切り面に沿って配置される乾式壁に用いられるランナーを、梁に固定するためのランナー固定具である。乾式壁は、第１空間側および第２空間側それぞれにおいて、縦方向に延びる第１および第２のスタッドと、第１のスタッドの軸方向端部および第２のスタッドの軸方向端部をそれぞれ抱え込むように、表裏方向に間隔をあけて配置される第１および第２のランナーとを含んでいる。ランナー固定具は、梁のフランジに係止される係止部材と、第１および第２のランナーを、表裏方向に間隔をあけた状態で保持する保持部材とを備える。
【発明の効果】
【００１７】
本発明によれば、第１および第２のランナーが、表裏方向に間隔をあけて配置されるため、ランナーを介した音の伝搬を遮ることができる。したがって、高遮音性の要求を満たすことができる。
【００１８】
また、ランナー固定具は、第１および第２のランナーを、表裏方向に間隔をあけた状態で保持する。したがって、ランナー固定具を用いることで、第１および第２のランナーを、容易に建物の躯体部に固定することができる。
【図面の簡単な説明】
【００１９】
【図１】本発明の実施の形態における乾式壁の構造を示す縦断図である。
【図２】図１のＩＩ−ＩＩ線で切断した場合の乾式壁の部分断面図である。
【図３】本発明の実施の形態における乾式壁のスタッドの配置例を示す横断面図である。
【図４】本発明の実施の形態の乾式壁において、天井部分における音の伝搬イメージを示す概念図である。
【図５】本発明の実施の形態１に係るランナー固定構造を模式的に示す図である。
【図６】本発明の実施の形態１に係るランナー固定具を示す斜視図である。
【図７】本発明の実施の形態１に係るランナー固定具を示す断面図である。
【図８】本発明の実施の形態１に係るランナー固定具を示す上面図である。
【図９】本発明の実施の形態２に係るランナー固定構造を模式的に示す図である。
【図１０】本発明の実施の形態２に係るランナー固定構造を模式的に示す図である。
【図１１】本発明の実施の形態２に係るランナー固定具を示す上面図である。
【図１２】本発明の実施の形態３に係るランナー固定具の保持部材を示す断面図である。
【図１３】本発明の実施の形態３における、保持部材およびランナーの構造を模式的に示す図である。
【図１４】本発明の実施の形態３における保持部材による、ランナーの保持構造を模式的に示す図である。
【図１５】図１４の矢印ＸＶで示す方向から見た場合のランナーの保持構造を示す図である。
【図１６】一般的な第１の乾式壁におけるスタッドの配置例を示す横断面図である。
【図１７】一般的な第２の乾式壁におけるスタッドの配置例を示す横断面図である。
【図１８】一般的な第２の乾式壁の構造例を示す縦断面図である。
【図１９】一般的な第２の乾式壁において、天井部分における音の伝搬イメージを示す概念図である。
【発明を実施するための形態】
【００２０】
本発明の実施の形態について図面を参照しながら詳細に説明する。なお、図中同一または相当部分には同一符号を付してその説明は繰返さない。
【００２１】
＜乾式壁について＞
本実施の形態に係る乾式壁は、共同住宅、長屋および寄宿舎等の住戸が連続する建築物における界壁（戸境壁）、あるいは、防音室等の高遮音性が求められる間仕切り壁が想定される。このような乾式壁は、隣り合う空間（部屋）を仕切るために配置される。本実施の形態において、隣り合う空間を仕切る仮想的な面を「仕切り面」といい、横断面において隣り合う空間を仕切る仮想的な線を「仕切り線」という。また、本実施の形態において、仕切り面と直交する方向を「表裏方向」という。
【００２２】
本実施の形態に係るランナー固定構造は、２つのランナーを独立して設けた乾式壁を前提としている。本出願人は、このような乾式壁の構造について、特願２０１２−２６２４４１号として出願済である。以下にまず、本実施の形態に係る乾式壁の構造について、一般的な乾式壁の構造と比較しながら説明する。
【００２３】
（一般的な乾式壁構造について）
図１６は、一般的な第１の乾式壁におけるスタッドの配置例を示す横断面図である。図１７は、一般的な第２の乾式壁におけるスタッドの配置例を示す横断面図である。図１８は、一般的な第２の乾式壁の構造例を示す縦断面図である。
【００２４】
図１６を参照して、乾式壁１０１Ａでは、対向する面部材１０４間に、複数の鋼製のスタッド１２０が間隔を置いて配置されている。各スタッド１２０の横断面は、短辺と長辺とを有する筒状の長方形状である。一般的に、スタッド１２０は、強軸配置されている。つまり、スタッド１２０は、長辺と面部材１０４に対して直交する方向（表裏方向）とが平行となるよう配置されている。面部材１０４は、各々、材質および厚みが等しい二層（二重）の石膏ボード１４１により構成されている。
【００２５】
各スタッド１２０は、対向する２つの短辺それぞれが面部材１０４と面接触している。したがって、スタッド１２０がサウンドブリッジとなり、一方側の空間で発生した音Ｓは、スタッド１２０を介して他方側の空間へ伝搬されてしまう。
【００２６】
これに対し、図１７に示す乾式壁１０１Ｂでは、複数のスタッド１２０が、千鳥状に配置されている。そのため、各スタッド１２０は、一方の短辺側のみにおいて、面部材１０４と面接触する。このように、乾式壁１０１Ｂにおいては、他方の短辺側とそれに対向する面部材１０４との間には空間ができるため、一方側の空間で発生した音Ｓは、乾式壁１０１Ｂの中空層において減衰される。したがって、遮音性が要求される界壁または間仕切り壁においては、複数のスタッド１２０が千鳥配置されることが多い。
【００２７】
このように、複数のスタッド１２０を強軸方向かつ千鳥状に配置する場合、隣り合うスタッド１２０は、整列方向に重なって配置される。そのため、図１８に示されるように、複数のスタッド１２０の軸方向両端は、表裏方向において共通の鋼製のランナー１３１，１３３によって固定される。この場合、ランナー１３１，１３３によって抱え込まれる部分には、各スタッド１２０の配置位置を固定するためのスペーサ１３５が挿入される。
【００２８】
このように、各取り付け場所（天井側および床側）において、複数のスタッド１２０を、表裏方向に共通のランナーで固定する場合、図１９に示されるように、一方側の空間で発生した音Ｓは、たとえば天井側のランナー１３１を介して、他方側の空間へ伝搬されてしまう可能性がある。つまり、ランナー１３１，１３３がサウンドブリッジを形成してしまう可能性がある。
【００２９】
そこで、本実施の形態に係る乾式壁は、以下に示すように、２つのランナーを表裏方向に独立して設けることとしている。
【００３０】
（本実施の形態に係る乾式壁構造について）
図１〜図４を参照して、本発明の実施の形態に係る乾式壁の構造について説明する。
【００３１】
図１は、本発明の実施の形態における乾式壁１の構造を示す縦断図である。図２は、図１のＩＩ−ＩＩ線で切断した場合の乾式壁１の部分断面図である。なお、図１および２において、紙面右側を第１空間、紙面左側を第２空間として説明する。また、図２における仮想線Ａ１は、仕切り線を示し、矢印Ａ２は、表裏方向を示している。
【００３２】
図１および図２を参照して、乾式壁１は、仕切り面に沿って配置される基礎部材２と、基礎部材２の一方面側および他方面側にそれぞれ固定される面部材４とを備えている。
【００３３】
基礎部材２は、第１空間側に間隔をおいて配置される複数のスタッド２１と、第２空間側に間隔をおいて配置される複数のスタッド２２とを含む。これらのスタッド２１および２２は、それぞれ、第１空間側および第２空間側において、直線状に整列している。各スタッド２１，２２は、鋼製であり、横断面の形状は、たとえば短辺が４０〜４５ｍｍ、長辺が６０〜６５ｍｍの略長方形状である。なお、本実施の形態において、スタッド２１の第１空間側の面およびスタッド２２の第２空間側の面、すなわち面部材４と接する側の側面を、「表面」という。また、スタッド２１の第２空間側の面およびスタッド２２の第１空間側の面、すなわち表面の反対側の側面を、「裏面」という。
【００３４】
基礎部材２は、また、複数のスタッド２１それぞれの軸方向両端を抱え込むように配置される一対のランナー３１，３３と、複数のスタッド２２それぞれの軸方向両端を抱え込むように配置される一対のランナー３２，３４とを含む。第２空間側のランナー３２，３４は、表裏方向において、第１空間側のランナー３１，３３とは所定の隙間を有して配置されている。
【００３５】
上側のランナー３１および３２は、各々、表裏方向両端に下向きの鍔部（図５に示す鍔部３１１，３１２，３２１，３２２）を有している。ランナー３１の鍔部の内側面が、スタッド２１の表面および裏面と接し、ランナー３２の鍔部の内側面が、スタッド２２の表面および裏面と接している。これにより、スタッド２１，２２の上側の端部は、それぞれ、ランナー３１，３２によって完全に抱え込まれる。下側のランナー３３および３４は、各々、表裏方向両端に上向きの鍔部を有している。ランナー３３の鍔部の内側面が、スタッド２１の表面および裏面と接し、ランナー３４の鍔部の内側面が、スタッド２２の表面および裏面と接している。これにより、スタッド２１，２２の下側の端部は、それぞれ、ランナー３２，３４によって完全に抱え込まれる。
【００３６】
このように、本実施の形態では、取り付け場所ごとに、表裏方向に独立して２つのランナーが設けられている。したがって、図４に示されるように、一方側の空間において発生した音Ｓは、たとえば天井側においても、ランナー３１，３２間の隙間３において遮断され、他方側の空間への伝搬を回避することができる。その結果、本実施の形態における乾式壁１によれば、図１７，１８に示した乾式壁１０１Ｂのような一般的な遮音壁よりも高遮音性の要求を満たすことができる。
【００３７】
ここで、図２および図３を参照して、複数のスタッド２１，２２の配置例について説明する。図３は、本発明の実施の形態における乾式壁１のスタッド２１，２２の配置例を示す図であり、表裏方向に切断した場合の乾式壁１の断面図である。
【００３８】
本実施の形態において、各スタッド２１，２２は、弱軸配置されている。つまり、各スタッド２１，２２は、その短辺と面部材４に対して直交する方向（表裏方向）とが平行となるように配置されている。この場合でも、遮音性能が低下することのないように、各スタッド２１，２２の板厚は、図１７等に示した強軸配置されたスタッド１２０の板厚と同等であってよい。また、各スタッド２１，２２は、遮音性を考慮すると、閉鎖断面よりも、一方の長辺（裏面側）が開口を有する開放断面であることが望ましい。一方で、本実施の形態では、スタッド２１，２２が弱軸配置であるため、開放断面のスタッドは、壁の強度を担保できる範囲でのみ、すなわち部分的に、取り入れられることが望ましい。たとえば、第１空間および第２空間それぞれの部屋の種類（台所、リビングなど）に応じて、特に強度を必要とする空間側のスタッドのみを開放断面としてもよい。
【００３９】
このように、本実施の形態では、スタッド２１，２２が弱軸配置される。そのため、スタッド２１とスタッド２２との間の表裏方向の間隔Ｌ２（図２）をたとえば１０ｍｍとした場合、本実施の形態では、対向する面部材４間の距離、すなわち基礎部材２の厚みＬ１（図３）は、１００ｍｍ程度である。このように、本実施の形態によれば、取り付け場所ごとに表裏方向に独立して２つのランナーを設けても、基礎部材２の厚みＬ１が増大してしまうことを回避できる。
【００４０】
なお、第１空間側のスタッド２１と第２空間側のスタッド２２との間の隙間Ｌ２は、たとえば５ｍｍ以上１５ｍｍ以下の範囲で定められることが望ましい。この間隔の下限値は、少なくとも、第１空間側のランナー３１（３３）と第２空間側のランナー３２（３４）とが表裏方向に隙間を有し得る値であり、上限値は、基礎部材２間の厚みを考慮した値である。ランナー３２，３４（３１，３３）間の隙間は、壁全体の厚みやランナーの固定方法などに応じて定められてよい。
【００４１】
複数のスタッド２１，２２は、また、上述の乾式壁１０１Ｂと同様に、対向する面部材４間において千鳥状に配置されている。つまり、隣接するスタッド２１およびスタッド２２が、表裏方向に重ならないように互い違いに配置されている。なお、本実施の形態では、表裏方向においてスタッド２１，２２間に空間（隙間Ｌ２）があるため、スタッド２１およびスタッド２２は、表裏方向に少なくとも一部重なっていてもよいし、完全に重なっていてもよい。
【００４２】
複数のスタッド２１は、仕切り線Ａ１に沿って所定ピッチで配置されている。複数のスタッド２２は、柱５１を中心として、仕切り線Ａ１に沿って所定ピッチで配置されている。柱５１の第２空間側には、石膏ボード４１を貼り付ける下地５２として、たとえばベニヤ板が配置されている。また、各列（第１空間側または第２空間側）において、隣り合うスタッド２１（２２）間には、吸音材５３として、たとえばグラスウールが設けられている。これにより、スタッド２１，２２の裏面側に吸音材５３が密着されるため、一方側の空間から発生した音が吸音材５３で吸音され、遮音性が高められる。
【００４３】
なお、本実施の形態では、スタッド２１，２２が弱軸配置であるため、壁の強度を確保するために、スタッドが強軸配置された乾式壁１０１Ｂ（図１７）よりも、各列において、スタッドの本数を多く設けてもよい。その場合、一部分においてのみ、スタッドを配置するピッチを小さくしてもよい。たとえば、第１空間および第２空間それぞれの部屋の種類に応じて、特に強度を必要とする空間側のピッチを、他方よりも小さくしてもよい。
【００４４】
図１および図３を参照して、面部材４は、各々、基礎部材２側に配置される石膏ボード４１と、空間側に露出して配置される強化石膏ボード４２とで構成されていてよい。強化石膏ボード４２は、耐火性能を強化するために、ガラス繊維等が混入された石膏ボード（網入り強化石膏ボード）である。強化石膏ボード４２は、耐火性能の向上のため、石膏ボード４１の厚みよりも大きいことが望ましい。具体的には、石膏ボード４１の厚みは、たとえば９．５ｍｍであり、強化石膏ボード４２の厚みは、たとえば１５ｍｍである。
【００４５】
以上説明した乾式壁１は、乾式壁１の上下端部を支える建物の躯体部によって支えられている。躯体部は、建物の基礎（図示せず）および建物の梁１１，１２（図１）を含む。梁１１，１２は、たとえばＨ型鋼である。図１のように、乾式壁１の上端部および下端部がそれぞれ梁１１，１２に支えられる場合、上側のランナー３１，３２が、天井側の梁１１に固定され、下側のランナー３３，３４が、床側の梁１２に固定される。以下に、これらのランナー３１，３２，３３，３４を、建物の梁１１，１２に固定するためのランナー固定構造について、詳細に説明する。本実施の形態では、代表的に、上側のランナー３１，３２を梁１１に固定する場合を例に挙げて説明する。なお、下側のランナー３３，３４を梁１２に固定する場合には、以下の説明における「ランナー３１」および「ランナー３２」の記載をそれぞれ「ランナー３３」および「ランナー３４」に読み替え、かつ、上下方向の記載を逆に読み替えればよい。
【００４６】
＜実施の形態１＞
図５〜図８を参照して、本実施の形態に係るランナー固定構造について説明する。図５は、本発明の実施の形態１に係るランナー固定構造を模式的に示す図である。図６〜図８は、それぞれ、本発明の実施の形態１に係るランナー固定具１３を示す斜視図、断面図および上面図である。なお、図５には、理解の容易のために、ランナー固定構造に関連する部分のみが示されている。図７には、図６に示すＶＩＩ−ＶＩＩ線に沿って表裏方向に切断した場合のランナー固定具１３の断面が示されている。
【００４７】
図５および図６を参照して、上側のランナー３１，３２は、ランナー固定具１３によって、天井側の梁１１に固定されている。複数のランナー固定具１３が、ランナー３１，３２の延びる方向に沿って、間隔をおいて配置される。ランナー固定具１３は、同方向において隣り合うスタッド２１，２２間に、スタッド２１，２２と接しないように配置されることが望ましい。
【００４８】
ランナー３１は、スタッド２１の上端面と当接し、水平に配置されるベース部３１０と、ベース部３１０の表側端部より下方に延びる表側鍔部３１１と、ベース部３１０の裏側端部より下方に延びる裏側鍔部３１２とを有している。同様に、ランナー３２は、スタッド２２の上端面と当接し、水平に配置されるベース部３２０と、ベース部３２０の表側端部より下方に延びる表側鍔部３２１と、ベース部３２０の裏側端部より下方に延びる裏側鍔部３２２とを有している。
【００４９】
ランナー固定具１３は、係止部材６と保持部材７とを含む。係止部材６は、ランナー３１，３２のベース部３１０，３２０に隣接する、梁１１のフランジ１１０に係止される。フランジ１１０は、ウェブ１１１の下端に配置される水平材である。保持部材７は、係止部材６と連結され、ランナー３１，３２を、表裏方向に間隔をあけた状態で保持する。
【００５０】
より具体的には、係止部材６は、フランジ１１０の表裏方向両端部を挟持するために、取付部６１，６４と、把持部６２，６５と、押圧爪部６３，６６とを含む。取付部６１，６４は、略矩形形状の板材であり、後述する保持部材７の板状部７０の上面に固定されている。取付部６１は、第１空間側に配置され、取付部６４は、第２空間側に配置される。把持部６２，６５は、取付部６１，６４の表裏方向表側端縁からそれぞれ上方に起立する。把持部６２，６５は、フランジ１１０の表裏方向両端面に当接され、フランジ１１０を左右方向に挟み込む。押圧爪部６３，６６は、把持部６２，６５の上端縁側において、表裏方向裏側に突出するように屈曲している。押圧爪部６３，６６は、フランジ１１０の上面１１０ａを上から押圧固定する。
【００５１】
保持部材７は、板状部７０と、２つの把持部７１０，７５０とを有する。板状部７０は、梁１１のフランジ１１０とランナー３１，３２との間に配置される。板状部７０は、ランナー３１の表側端縁からランナー３２の表側端縁まで延び、たとえば、表裏方向を長辺とする略矩形形状の板材である。板状部７０には、長辺に沿って溝部８５，８６が形成されている。これにより、強度向上が図られる。板状部７０の上面には、上述の取付部６１，６４が固定されている。板状部７０の下方側に把持部７１０，７５０が連結されている。
【００５２】
把持部７１０は、ランナー３１の鍔部３１１，３１２を、それぞれの外側から抱え込むように把持する。具体的には、把持部７１０は、表裏方向表側の鍔部３１１の外側に配置される側面部７１と、表裏方向裏側の鍔部３１２の外側に配置される側面部７３と、これら側面部７１，７３の下端部（自由端側）において内側斜め上方にそれぞれ折り返された折り返し部７２，７４とを含む。側面部７１，７３は、下端側へいくにつれて互いに近接するように傾斜して延びている。
【００５３】
把持部７５０は、ランナー３２の鍔部３２１，３２２を、それぞれの外側から抱え込むように把持する。具体的には、把持部７５０は、表裏方向表側の鍔部３２１の外側に配置される側面部７５と、表裏方向裏側の鍔部３２２の外側に配置される側面部７７と、これら側面部７５，７７の下端部（自由端側）において内側斜め上方にそれぞれ折り返された折り返し部７６，７８とを含む。側面部７５，７７も、下端側へいくにつれて互いに近接するように傾斜して延びている。
【００５４】
本実施の形態では、板状部７０と、把持部７１０，７５０のうち外側に位置する２つの側面部７１，７５とは、たとえば１枚の鋼板が折り曲げ加工されて形成されている。また、把持部７１０，７５０の内側に位置する２つの側面部７３，７７の上端同士は、板状部７０の下面に固定された連結部７９を介して連結されている。これら側面部７３，７７および連結部７９も、たとえば１枚の鋼板が折り曲げ加工されて形成されている。
【００５５】
把持部７１０，７５０がこのように形成されることで、ランナー３１は、側面部７１，７３が押し広げられた状態で側面部７１，７３間に嵌入され、嵌入された後は、側面部７１，７３の復元力により左右方向に挟持される。ランナー３１の鍔部３１１，３１２の下端は、それぞれ、折り返し部７２，７４によって支えられる。同様に、ランナー３２は、側面部７５，７７が押し広げられた状態で側面部７５，７７間に嵌入され、嵌入された後は、側面部７５，７７の復元力により左右方向に挟持される。ランナー３２の鍔部３２１，３２２の下端は、それぞれ、折り返し部７６，７８によって支えられる。
【００５６】
ランナー固定具１３には、板状部７０の上側および下側に、それぞれバネ部材が設けられている。本実施の形態では、上側のバネ部材として、板バネ８１，８２が設けられている。板バネ８１，８２は、取付部６１，６４の内側端縁と連結され、取付部６１，６４より斜め上方に延びている。したがって、梁１１のフランジ１１０の上面１１０ａは、押圧爪部６３，６６の復元力によって下側に押圧され、その下面１１０ｂは、板バネ８１，８２の復元力によって上側に押圧される。これにより、梁１１のフランジ１１０は上下方向にも挟持される。
【００５７】
下側のバネ部材としては、板バネ８３，８４が設けられている。板バネ８３，８４は、取付部６１，６４の表裏方向裏側端縁と連結され、板状部７０に形成された穴８７，８８を貫通して斜め下方に延びている。つまり、板バネ８３は、ランナー３１側に配置され、板バネ８４は、ランナー３２側に配置されている。そのため、ランナー３１の鍔部３１１，３１２の下端が折り返し部７２，７４に支えられるとともに、ランナー３１のベース部３１０の上面が板バネ８３で押圧された状態で固定される。したがって、ランナー３１は、板バネ８３の復元力により下側に押圧されるとともに、折り返し部７２，７４により上側方向に支持される。ランナー３２も同様に、板バネ８４の復元力により下側に押圧されるとともに、折り返し部７６，７８により上側方向に支持される。これにより、ランナー３１，３２は、上下方向にも挟持される。
【００５８】
また、ランナー固定具１３が、これら板バネ８１〜８４を有することで、梁１１の厚みや、ランナー３１，３２の垂直方向長さが異なる場合でも、柔軟に対応することができる。なお、板バネ８１〜８４の延びる方向は、特に限定されない。
【００５９】
ランナー固定具１３を上述のような構造とすることで、現場において、ランナー固定具１３をワンタッチで梁１１のフランジ１１０に固定（係止）することができる。また、複数のランナー固定具１３を先にフランジ１１０に固定しておくことで、ランナー３１，３２をボルトレスで固定することができるとともに、ランナー３１，３２の位置決めを容易にすることができる。
【００６０】
また、本実施の形態では、複数のランナー固定具１３が、ランナー３１，３２の延びる方向に沿って間隔をおいて配置される。そのため、隙間を有して並列するランナー３１，３２を一括して保持するランナー固定具１３が配置されても、上述の一般的な乾式壁１０１Ｂ（図１８等）よりも遮音性を十分に高めることができる。
【００６１】
なお、本実施の形態では、保持部材７側に、ランナー３１の表側端縁からランナー３２の表側端縁まで延びる板材（板状部７０）を設けたが、係止部材６側に、このような板材を設けてもよい。つまり、係止部材６の２つの取付部６１，６４が１枚の板材として一続きに形成されていてもよい。この場合、保持部材７の板状部７０は表裏方向に分割され、分割された板状部分を底面部とする略逆Ｕ字形状の２つの把持部が、係止部材６の一続きの板材の下面に隙間を有して固定されていてもよい。
【００６２】
＜実施の形態２＞
本実施の形態に係るランナー固定具は、実施の形態１と比較して、係止部材の構造が異なる。以下に、実施の形態１と異なる点のみ詳細に説明する。
【００６３】
実施の形態１で用いた図５に示されるように、梁１１のフランジ１１０には、上下方向に貫通する円形状の穴１１２，１１３が予め形成されていることがある。穴１１２，１１３は、フランジ１１０の両側に、表裏方向に沿って一列に設けられている。本実施の形態に係るランナー固定具の係止部材は、これらの穴１１２，１１３を利用して、梁１１のフランジ１１０に係止される。
【００６４】
図９および図１０は、本発明の実施の形態２に係るランナー固定構造を模式的に示す図である。図１１は、本発明の実施の形態２に係るランナー固定具１３Ａを示す上面図である。なお、図９においても、理解の容易のために、ランナー固定構造に関連する部分のみが示されている。また、図１０には、図９に示すＸ−Ｘ線に沿って整列方向に切断した場合のランナー固定具１３Ａの断面が示されている。
【００６５】
図９〜図１１を参照して、本実施の形態では、ランナー固定具１３Ａの係止部材６Ａは、２つの取付部６１Ａ，６４Ａと、これらと連結された掛止部６７，６８とを含む。本実施の形態における板状部７０には、フランジ１１０の穴１１２，１１３に相当する位置に、たとえば円形状の穴８７Ａ，８８Ａが形成されている。また、板状部７０の長辺に沿って突起部８５Ａ，８６Ａが形成されている。なお、この突起部８５Ａ，８６Ａも強度向上を目的としているため、ランナー固定具１３Ａにおいても、突起部８５Ａ，８６Ａに代えて実施の形態１で示した溝部８５，８６が形成されてもよい。
【００６６】
取付部６１Ａ，６４Ａは、板状部７０の下面に固定されており、掛止部６７，６８は、それぞれ、穴８７Ａ，８８Ａを貫通して上方に延びる。掛止部６７は、たとえば、取付部６１Ａより上方に起立する起立部６７１と、起立部６７１の上端部において、斜め下方に折り曲げられた掛止片６７２とで構成されている。掛止部６８も同様に、たとえば、取付部６４Ａより上方に起立する起立部６８１と、起立部６８１の上端部において、斜め下方に折り曲げられた掛止片６８２とで構成されている。掛止片６８２は、掛止片６７２が折り曲げられる方向とは反対側の方向に折り曲げられることが望ましい。
【００６７】
ランナー固定具１３Ａを梁１１のフランジ１１０に取り付ける際には、掛止部６７，６８は、下方よりフランジ１１０の穴１１２，１１３にそれぞれ挿入される。挿入時には、掛止片６７２，６８２が板バネとして機能する。ランナー固定具１３Ａが十分に押し上げられると、掛止片６７２，６８２の自由端が、フランジ１１０の上面１１０ａに掛止される。
【００６８】
なお、本実施の形態においても、係止部材６Ａによってフランジ１１０を上下方向に挟持するためには、図７等に示された板バネ８１，８２に相当するバネ部材が設けられることが望ましい。また、図９等では板状部７０の下側に、図７等に示された板バネ８３，８４が示されていないが、本実施の形態でもこれらが設けられていることが望ましい。
【００６９】
上述のように、本実施の形態によれば、梁１１のフランジ１１０に予め形成された穴１１２，１１３が利用される。したがって、梁１１とその周辺の納まりの関係で、実施の形態１に示したようなフランジ１１０の両端部を把持して固定する方法が採れない場合にも、ボルトレスでランナー３１，３２を梁１１に固定することができる。
【００７０】
なお、掛止部６７，６８は、各々、フランジ１１０の上面１１０ａに掛止される少なくとも１つの掛止片を有していればよく、その形状等は上記例に限定されない。
【００７１】
また、ランナー固定具１３Ａは、建物の梁１１への取付けを想定したものであったため、係止部材６Ａと保持部材７とを含むものであった。しかしながら、ランナー固定具１３Ａは、建物の基礎への取付けにも利用できる。この場合、ランナー固定具は、係止部材６Ａを含まず、２つのランナー３１，３２を、間隔をあけた状態で保持する保持部材７を有していればよい。この場合、図１１に示すように、保持部材７の表裏方向中央位置に、位置決め手段としての切欠き部９１，９２が設けられることが望ましい。基礎の上面の表裏方向中央位置にラインを引いておき、そのラインにこの切欠き部９１，９２を合わせることで、基礎の中央部に適切にランナー固定具を配置することができるからである。なお、このようなランナー固定具を基礎に完全に固定するためには、ボルト等の釘材が用いられるものとする。釘材は、たとえば、ランナー固定具の表裏方向中央位置に打ち込まれる。
【００７２】
また、本実施の形態のように、梁１１のフランジ１１０に形成された２つの穴１１２，１１３を利用する場合、板状部７０をランナー３１側とランナー３２側とで分離させてもよい。この場合の例を変形例として以下に説明する。
【００７３】
（変形例）
図１１を参照して、板状部７０は、ランナー３１の上方に位置する第１の部分（以下「板状部７０１」という）と、ランナー３２の上方に位置する第２の部分（以下「板状部７０２」という）とに分割されていてもよい。板状部７０１の裏側端縁は、たとえば想像線Ａ３で示され、把持部７１０の側面部７３（図９）の上端と接続されている。また、板状部７０２の裏側端縁は、たとえば想像線Ａ４で示され、把持部７５０の側面部７７（図９）の上端と接続されている。この場合、図９に示される連結部７９は不要である。板状部７０１，７０２は、各々、略逆Ｕ字形状の把持部の底面部となる。
【００７４】
このように板状部７０を２つに分離して配置することで、ランナー固定具１３は２つの部品で構成される。したがって、梁１１のフランジ１１０の穴１１２，１１３を利用してそれぞれの部品を梁１１に取り付けた場合、部品間に隙間が生じる。その結果、当該変形例では、ランナー固定具を介した音の伝搬をも遮ることができるため、遮音性がさらに高められる。ただし、この場合には、掛止片６７２，６８２の抜け落ち等を防止するために、たとえば、係止部材６Ａに公知の部材が別途設けられてもよいし、掛止部６７，６８の構造が変更されてもよい。
【００７５】
＜実施の形態３＞
本実施の形態に係るランナー固定具は、実施の形態１と比較して、保持部材の構造が異なる。以下に、実施の形態１と異なる点のみ詳細に説明する。
【００７６】
図１２は、本発明の実施の形態３に係るランナー固定具の保持部材７Ａを示す断面図である。図１２に示されるように、保持部材７Ａは、実施の形態１で示した把持部７１０，７５０に代えて、表裏方向に弾性を有する弾性係合部７２０，７６０を含む。弾性係合部７２０，７６０は、保持部材７Ａの底部としての板状部７０から下方に、すなわち躯体部（梁または基礎）とは反対方向に、突出している。
【００７７】
なお、保持部材７Ａは、実施の形態１と同様に、ランナー３１，３２の鍔部３１１，３１２，３２１，３２２の外側面に当接または近接する側面部７１，７３，７５，７７を有していてもよい。ただし、この場合、各側面部７１，７３，７５，７７の上下長さは、上記実施の形態１で示した長さよりも短くてよい。保持部材７Ａが側面部７１，７３，７５，７７を有することで、ランナー３１，３２の位置決めを容易にすることができる。
【００７８】
図１２では、保持部材７Ａのうち、ランナー３１を保持する部分を保持部７Ａ−１、ランナー３２を保持する部分を保持部７Ａ−２として示している。保持部７Ａ−１に弾性係合部７２０が含まれ、保持部７Ａ−２に弾性係合部７６０が含まる。また、保持部７Ａ−１には、実施の形態１の板バネ８３に相当する板バネ８３Ａが含まれ、保持部７Ａ−２にも、実施の形態１の板バネ８４に相当する板バネ８４Ａが含まれている。
【００７９】
各保持部７Ａ−１，７Ａ−２の機能および構造は、同様であるため、以下に、保持部７Ａ−１によるランナー３１の保持構造について代表的に説明する。
【００８０】
図１３は、本発明の実施の形態３における、保持部材７Ａ（保持部７Ａ−１）およびランナーの構造を模式的に示す図である。図１４は、保持部材７Ａによるランナーの保持構造を模式的に示す図である。図１５は、図１４の矢印ＸＶで示す方向から見た場合の保持構造を示す図である。
【００８１】
図１３に示されるように、本実施の形態におけるランナー３１は、ベース部３１０に、上下方向に貫通する長孔（貫通穴）３１０ａを有している。より具体的には、ベース部３１０の表裏方向中央部に、長手方向に沿って、複数の長孔３１０ａが間隔をあけて設けられている。長孔３１０ａは、ランナー３１の長手方向に長い。
【００８２】
弾性係合部７２０の説明において、ランナー３１の長手方向（スタッド２１の整列方向）を横方向、表裏方向を奥行き方向ともいう。この場合、弾性係合部７２０は、保持部７Ａ−１の底部（板状部７０のうちの一部）の奥行き方向中央部、かつ、横方向中央部に設けられていることが望ましい。この場合、板バネ８３Ａは、たとえば、板状部７０のうち、弾性係合部７２０の横方向両側に設けられている。
【００８３】
上述のように、弾性係合部７２０は、奥行き方向（表裏方向）に弾性を有している。その場合、弾性係合部７２０は、その奥行き寸法Ｌ３が、通常時（非弾性時）に長孔３１０ａの短辺寸法Ｌ４よりも大きく、弾性時に長孔３１０ａの短辺寸法Ｌ４よりも小さくなるように構成されている。また、弾性係合部７２０の横幅Ｌ５は、長孔３１０ａの長辺寸法Ｌ６よりも若干小さい。
【００８４】
本実施の形態では、弾性係合部７２０は、たとえば２つの板バネ部材７２１，７２４を含む。板バネ部材７２１，７２４は、横方向に隣り合って配置されている。板バネ部材７２１は、本体板部７２２と反り部７２３とで構成されている。本体板部７２２は、保持部材７Ａの板状部７０の下面から下方に延びている。反り部７２３は、本体板部７２２の先端（下端）から板状部７０側へ斜めに延びている。板バネ部材７２４も同様に、本体板部７２５と反り部７２６とで構成されている。
【００８５】
板バネ部材７２１と板バネ部材７２４とは、表裏方向の向きが反対となるように設けられている。具体的には、板バネ部材７２１は、その本体板部７２２が、表側に位置する側面部７１寄りに配置され、その反り部７２３は、裏側に位置する側面部７３の方へ延びている。これに対し、板バネ部材７２４は、その本体板部７２５が、裏側に位置する側面部７３寄りに配置され、その反り部７２６は、表側に位置する側面部７１の方へ延びている。
【００８６】
このような板バネ部材７２１，７２４を含む弾性係合部７２０による、ランナー３１の保持は、次のようにして行なわれる。すなわち、保持部７Ａ−１を含むランナー固定具が、梁または基礎に固定された状態で、ランナー３１の長孔３１０ａ内に弾性係合部７２０を挿入する。挿入の際、ランナー３１の長孔３１０ａの一対の長辺と、板バネ部材７２１，７２４の本体板部７２２，７２５とは、それぞれ当接する。また、挿入途中に、板バネ部材７２１，７２４の反り部７２３，７２６も、長孔３１０ａの一対の長辺にそれぞれ当接すると、反り部７２３，７２６は、それぞれ本体板部７２２，７２５側に近づくように撓む。これにより、各板バネ部材７２１，７２４は、表裏方向に縮む。
【００８７】
ランナー３１がさらに保持部７Ａ−１の板状部７０側へ押し付けられると、板バネ部材７２１，７２４の反り部７２３，７２６が長孔３１０ａから抜ける。そうすると、板バネ部材７２１，７２４の反り部７２３，７２６は、反発力により表裏方向に広がり、元の位置に戻る。このとき、板バネ部材７２１，７２４の先端部（反り部７２３，７２６の自由端部）は、ランナー３１のベース部３１０における、長孔３１０ａ周辺の裏面に当接する。これにより、ランナー３１のベース部３１０が、反り部７２３，７２６の先端部に引っ掛けられることによって、板バネ部材７２１，７２４と係合する。つまり、保持部７Ａ−１によって、ランナー３１が保持される。
【００８８】
また、本実施の形態においても、保持部７Ａ−１に、板バネ８３Ａが設けられているため、ランナー３１のベース部３１０の上面は、板バネ８３Ａによる反発力によって押圧される。これにより、ランナー３１のベース部３１０は、板バネ部材７２１，７２４の先端部と、板バネ８３Ａとによって、上下方向に挟持される。したがって、本実施の形態においても、ランナー３１を適切に保持することができる。
【００８９】
また、上述のように、ランナー３１のベース部３１０に、長手方向に間隔をあけて設けられた長孔３１０ａ内に、板バネ部材７２１，７２４を係合させることによって、ランナー３１が保持される。したがって、本実施の形態に係るランナー固定構造は、実施の形態１で示した保持部材７の把持部７１０，７５０によるランナー固定構造よりも、ランナー３１の横ずれ（長手方向のずれ）を防止することができる。
【００９０】
なお、本実施の形態に係る保持部材７Ａは、梁１１にランナー３１〜３４を固定する場合にも、基礎上に下側のランナー３３，３４を固定する場合にも適用することができる。前者の場合、保持部材７Ａは、実施の形態１で示した係止部材６または実施の形態２で示した係止部材６Ａと接続されてもよい。
【００９１】
以上説明した各実施の形態によれば、表裏方向に２つの独立したランナーが間隔をおいて配置されるため、ランナーを介した音の伝搬を防止することができる。また、このような２つのランナーを、たとえばＨ型鋼で造られた梁や基礎に取り付ける場合には、上述のようなランナー固定具を用いることで、２つのランナーであっても容易に固定することができる。その結果、現場工程をスムーズに進めることができる。
【００９２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９３】
１，１０１Ａ，１０１Ｂ  乾式壁、２  基礎部材、４，１０４  面部材、１３，１３Ａ  ランナー固定具、６，６Ａ  係止部材、７，７Ａ  保持部材、７Ａ−１，７Ａ−２  保持部、１１，１２  梁、２１，２２，１２０  スタッド、３１，３２，３３，３４，１３１，１３３  ランナー、４１，１４１  石膏ボード、４２  強化石膏ボード、５１  柱、５２  下地、５３  吸音材、６１，６４，６１Ａ，６４Ａ  取付部、６２，６５，７１０，７５０  把持部、６３，６６  押圧爪部、６７，６８  掛止部、７０  板状部、７１，７３，７５，７７  側面部、７２，７４，７６，７８  折り返し部、７９  連結部、８１，８２，８３，８４，８３Ａ，８４Ａ  板バネ、８５，８６  溝部、８５Ａ，８６Ａ  突起部、８７，８８，８７Ａ，８８Ａ，１１２，１１３  穴、９１，９２  切欠き部、１１０  フランジ、１１１  ウェブ、１３５  スペーサ、３１０，３２０  ベース部、３１１，３１２，３２１，３２２  鍔部、６７１，６８１  起立部、６７２，６８２  掛止片、７２０，７６０  弾性係合部、７２１，７２４  板バネ部材、７２２，７２５  本体板部、７２３，７２６  反り部。
【図１】
2015038298.tif 000003
【図２】
2015038298.tif 000004
【図３】
2015038298.tif 000005
【図４】
2015038298.tif 000006
【図５】
2015038298.tif 000007
【図６】
2015038298.tif 000008
【図７】
2015038298.tif 000009
【図８】
2015038298.tif 000010
【図９】
2015038298.tif 000011
【図１０】
2015038298.tif 000012
【図１１】
2015038298.tif 000013
【図１２】
2015038298.tif 000014
【図１３】
2015038298.tif 000015
【図１４】
2015038298.tif 000016
【図１５】
2015038298.tif 000017
【図１６】
2015038298.tif 000018
【図１７】
2015038298.tif 000019
【図１８】
2015038298.tif 000020
【図１９】
2015038298.tif 000021